(57)【特許請求の範囲】
【請求項１】
Ａｃｋｎｏｗｌｅｄｇｅｍｅｎｔ（ＡＣＫ）／Ｎｅｇａｔｉｖｅ  Ａｃｋｎｏｗｌｅｄｇｅｍｅｎｔ（ＮＡＣＫ）（ＡＮ）チャネル選択スキームを利用して通信装置が制御信号を送信する方法であって、
特定されたＡＮ状態セットと以下の表１のマッピング規則に基づいて物理上りリンク制御チャネル（ＰＵＣＣＨ）リソースを介して複素数値(complex value)を送信するステップを含み、
前記特定されたＡＮ状態セットは、プライマリセル（ＰＣｅｌｌ）に対する２つのＡＮ状態及びセコンダリセル（ＳＣｅｌｌ）に対する２つのＡＮ状態を含む、方法。
【表１】
0005932809.tif 000018
【請求項２】
Ａｃｋｎｏｗｌｅｄｇｅｍｅｎｔ（ＡＣＫ）／Ｎｅｇａｔｉｖｅ  Ａｃｋｎｏｗｌｅｄｇｅｍｅｎｔ（ＮＡＣＫ）（ＡＮ）チャネル選択スキームを利用して通信装置が制御信号を送信する方法であって、
特定されたＡＮ状態セットと以下の表２のマッピング規則に基づいて物理上りリンク制御チャネル（ＰＵＣＣＨ）リソースを介して複素数値(complex value)を送信するステップを含み、
前記特定されたＡＮ状態セットは、空間分割多重化（ＳＤＭ）セル（ＳＤＭ  Ｃｅｌｌ）に対する２つのＡＮ状態及び非空間多重化（ｎｏｎ−ＳＤＭ）セル（ｎｏｎ−ＳＤＭ  Ｃｅｌｌ）に対する１つのＡＮ状態を含む、方法。
【表２】
0005932809.tif 000019
【請求項３】
Ａｃｋｎｏｗｌｅｄｇｅｍｅｎｔ（ＡＣＫ）／Ｎｅｇａｔｉｖｅ  Ａｃｋｎｏｗｌｅｄｇｅｍｅｎｔ（ＮＡＣＫ）（ＡＮ）チャネル選択スキームを利用して制御信号を送信するように構成された通信装置であって、
ＲＦ部と、
前記ＲＦ部と動作可能に接続したプロセッサを備え、
前記プロセッサは、特定されたＡＮ状態セットと以下の表３のマッピング規則に基づいて物理上りリンク制御チャネル（ＰＵＣＣＨ）リソースを介して複素数値(complex value)を送信するように構成され、
前記特定されたＡＮ状態セットは、プライマリセル（ＰＣｅｌｌ）に対する２つのＡＮ状態及びセコンダリセル（ＳＣｅｌｌ）に対する２つのＡＮ状態を含む、通信装置。
【表３】
0005932809.tif 000020
【請求項４】
Ａｃｋｎｏｗｌｅｄｇｅｍｅｎｔ（ＡＣＫ）／Ｎｅｇａｔｉｖｅ  Ａｃｋｎｏｗｌｅｄｇｅｍｅｎｔ（ＮＡＣＫ）（ＡＮ）チャネル選択スキームを利用して制御信号を送信するように構成された通信装置であって、
ＲＦ部と、
前記ＲＦ部と動作可能に接続したプロセッサを備え、
前記プロセッサは、特定されたＡＮ状態セットと以下の表４のマッピング規則に基づいて物理上りリンク制御チャネル（ＰＵＣＣＨ）リソースを介して複素数値(complex value)を送信するように構成され、
前記特定されたＡＮ状態セットは、空間分割多重化（ＳＤＭ）セル（ＳＤＭ  Ｃｅｌｌ）に対する２つのＡＮ状態及び非空間分割多重化（ｎｏｎ−ＳＤＭ）セル（ｎｏｎ−ＳＤＭ  Ｃｅｌｌ）に対する１つのＡＮ状態を含む、通信装置。
【表４】
0005932809.tif 000021
【発明の詳細な説明】
【技術分野】
【０００１】
本発明は、無線通信システムに係り、特に、制御情報を送信する方法及びそのための装置に関する。
【背景技術】
【０００２】
無線通信システムが音声やデータなどのような種々の通信サービスを提供するために広範囲に展開されている。一般に、無線通信システムは、可用のシステムリソース（帯域幅、送信電力など）を共有して複数ユーザとの通信をサポートし得る多元接続システムのことをいう。多元接続システムの例には、符号分割多元接続（ＣＤＭＡ）システム、周波数分割多元接続（ＦＤＭＡ）システム、時分割多元接続（ＴＤＭＡ）システム、直交周波数分割多元接続（ＯＦＤＭＡ）システム、単一搬送波周波数分割多元接続（ＳＣ−ＦＤＭＡ）システムなどがある。
【発明の概要】
【発明が解決しようとする課題】
【０００３】
本発明の目的は、無線通信システムにおいて上りリンク制御情報を効率良く送信する方法及びそのための装置を提供することにある。本発明の他の目的は、複数搬送波状況において、制御情報、好ましくはＡＣＫ／ＮＡＣＫ情報を効率良く送信する方法及びそのための装置を提供することにある。
【０００４】
本発明で達成しようとする技術的課題は、上記の技術的課題に制限されず、言及していない他の技術的課題は、下の記載から、本発明の属する技術の分野における通常の知識を有する者には明確に理解されるであろう。
【課題を解決するための手段】
【０００５】
本発明の一態様として、無線通信システムにおいて、１次セル及び２次セルを含む複数のセルが構成された状況で上りリンク制御情報を送信する方法において、物理上りリンク制御チャネル（ＰＵＣＣＨ）フォーマット１ｂのための複数のＰＵＣＣＨリソースから、複数のハイブリッド自動再送要求（ＨＡＲＱ）肯定応答（ＡＣＫ）に対応する一つのＰＵＣＣＨリソースを選択するステップと、選択されたＰＵＣＣＨリソースを用いて複数のＨＡＲＱ−ＡＣＫに対応するビット値を送信するステップと、を含み、複数のＨＡＲＱ−ＡＣＫ、ＰＵＣＣＨリソース及びビット値の間の関係は、表１の関係を有する方法が提供される。
【０００６】
表１
【表１】
0005932809.tif 000002
【０００７】
表１において、ＨＡＲＱ−ＡＣＫ(０)(１)は、１次セルの伝送ブロックに対するＡＣＫ／ＮＡＣＫ／ＤＴＸ応答を表し、ＨＡＲＱ−ＡＣＫ(２)(３)は、２次セルの伝送ブロックに対するＡＣＫ／ＮＡＣＫ／ＤＴＸ応答を表し、ｎ（ｌ）ＰＵＣＣＨ，ｉ（ｉ＝０，１，２，３）は、ＰＵＣＣＨフォーマット１ｂのための複数のＰＵＣＣＨリソースを表し、ｂ(０)ｂ(１)は、ビット値を表す。
【０００８】
本発明の他の態様として、無線通信システムにおいて、１次セル及び２次セルを含む複数のセルが構成された状況で上りリンク制御情報を送信するように構成された通信装置であって、無線周波（ＲＦ）ユニットと、プロセッサと、を備え、プロセッサは、物理上りリンク制御チャネル（ＰＵＣＣＨ）フォーマット１ｂのための複数のＰＵＣＣＨリソースから、複数のハイブリッド自動再送要求（ＨＡＲＱ）肯定応答（ＡＣＫ）に対応する一つのＰＵＣＣＨリソースを選択し、選択されたＰＵＣＣＨリソースを用いて複数のＨＡＲＱ−ＡＣＫに対応するビット値を送信するように構成され、複数のＨＡＲＱ−ＡＣＫ、ＰＵＣＣＨリソース及びビット値の間の関係は、表１の関係を有する通信装置が提供される。
表１
【表２】
0005932809.tif 000003
【０００９】
表１において、ＨＡＲＱ−ＡＣＫ(０)(１)は、１次セルの伝送ブロックに対するＡＣＫ／ＮＡＣＫ／ＤＴＸ応答を表し、ＨＡＲＱ−ＡＣＫ(２)(３)は、２次セルの伝送ブロックに対するＡＣＫ／ＮＡＣＫ／ＤＴＸ応答を表し、ｎ（ｌ）ＰＵＣＣＨ，ｉ（ｉ＝０，１，２，３）は、ＰＵＣＣＨフォーマット１ｂのための複数のＰＵＣＣＨリソースを表し、ｂ(０)ｂ(１)は、ビット値を表す。
【００１０】
好適には、ｎ（ｌ）ＰＵＣＣＨ，０及びｎ（ｌ）ＰＵＣＣＨ，１はそれぞれ、１次セルの伝送ブロックに対応する物理下りリンク制御チャネル（ＰＤＣＣＨ）を構成する最小制御チャネル要素（ＣＣＥ）インデクス及びその次のＣＣＥインデクスを用いて与えられる。
【００１１】
好適には、ｎ（ｌ）ＰＵＣＣＨ，２及びｎ（ｌ）ＰＵＣＣＨ，３はそれぞれ、２次セルの伝送ブロックに対応するＰＤＣＣＨを構成する最小ＣＣＥインデクス及びその次のＣＣＥインデクスを用いて与えられる。
【００１２】
好適には、ｎ（ｌ）ＰＵＣＣＨ，２及びｎ（ｌ）ＰＵＣＣＨ，３は、無線リソース制御（ＲＲＣ）層によって設定されたＰＵＣＣＨリソースインデクスを用いて与えられる。
【００１３】
好適には、複数のＨＡＲＱ−ＡＣＫ、ＰＵＣＣＨリソース及びビット値の間の関係は、表２の関係を更に有する。
表２
【表３】
0005932809.tif 000004
【００１４】
表２において、ＨＡＲＱ−ＡＣＫ(０)(１)は、２つの伝送ブロック送信をサポートする送信モードに設定されたサービス提供セルのデータブロックに対するＡＣＫ／ＮＡＣＫ／ＤＴＸ応答を表し、ＨＡＲＱ−ＡＣＫ(２)は、単一伝送ブロック送信をサポートする送信モードに設定されたサービス提供セルのデータブロックに対するＡＣＫ／ＮＡＣＫ／ＤＴＸ応答を表し、ｎ（ｌ）ＰＵＣＣＨ，ｉ（ｉ＝０，１，２）は、ＰＵＣＣＨフォーマット１ｂのための複数のＰＵＣＣＨリソースを表し、ｂ(０)ｂ(１)は、ビット値を表す。
【発明の効果】
【００１５】
本発明によれば、無線通信システムにおいて上りリンク制御情報を効率良く送信することができる。また、複数搬送波状況で制御情報、好ましくはＡＣＫ／ＮＡＣＫ情報を効率良く送信することができる。
【００１６】
本発明で得られる効果は、上に言及した効果に制限されず、言及していない別の効果は、下の記載から、本発明の属する技術の分野における通常の知識を有する者には明確に理解されるであろう。
【００１７】
本発明に関する理解を助けるために詳細な説明の一部として含まれる添付図面は、本発明の実施例を提供し、詳細な説明と共に本発明の技術的思想を説明する。
【図面の簡単な説明】
【００１８】
【図１】無線フレームの構造を例示する図である。
【図２】下りリンクスロットのリソースグリッドを例示する図である。
【図３】下りリンクサブフレームの構造を示す図である。
【図４】上りリンクサブフレームの構造を例示する図である。
【図５】ＰＵＣＣＨフォーマット１ａ／１ｂのスロットレベルの構造を示す図である。
【図６】ＡＣＫ／ＮＡＣＫのためのＰＵＣＣＨリソースを決定する例を示す図である。
【図７】搬送波集約通信システムを例示する図である。
【図８】複数の搬送波が束ねられた場合のスケジュールを例示する図である。
【図９】ＬＴＥ−Ａのための従来のＡＣＫ／ＮＡＣＫチャネル選択方式を示す図である。
【図１０】ＬＴＥ−Ａのための従来のＡＣＫ／ＮＡＣＫチャネル選択方式を示す図である。
【図１１】ＬＴＥ−Ａのための従来のＡＣＫ／ＮＡＣＫチャネル選択方式を示す図である。
【図１２】ＬＴＥ−Ａのための従来のＡＣＫ／ＮＡＣＫチャネル選択方式を示す図である。
【図１３】本発明の実施例に係るチャネル選択方式を示す図である。
【図１４】本発明の実施例に係るチャネル選択方式を示す図である。
【図１５】本発明に一実施例に適用され得る基地局及び端末を例示する図である。
【発明を実施するための形態】
【００１９】
以下の技術は、ＣＤＭＡ、ＦＤＭＡ、ＴＤＭＡ、ＯＦＤＭＡ、ＳＣ−ＦＤＭＡなどのような様々な無線接続システムに用いることができる。ＣＤＭＡは、はん用地上無線接続（ＵＴＲＡ）又はＣＤＭＡ２０００のような無線技術で実現することができる。ＴＤＭＡは、世界移動体通信システム（ＧＳＭ（登録商標））／一般パケット無線サービス（ＧＰＲＳ）／ＧＳＭ（登録商標）進化用強化データ速度（ＥＤＧＥ）のような無線技術で実現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、進化ＵＴＲＡ（Ｅ−ＵＴＲＡ）などのような無線技術で実現することができる。ＵＴＲＡは、はん用移動体通信システム（ＵＭＴＳ）の一部である。第三世代パートナシッププロジェクト（３ＧＰＰ）長期進化システム（ＬＴＥ）は、Ｅ−ＵＴＲＡを用いる進化ＵＭＴＳ（Ｅ−ＵＭＴＳ）の一部であり、下りリンクにおいてＯＦＤＭＡを採用し、上りリンクにおいてＳＣ−ＦＤＭＡを採用する。高度ＬＴＥシステム（ＬＴＥ−Ａ）は、３ＧＰＰ ＬＴＥの進展したバージョンである。
【００２０】
説明を明確にするために、３ＧＰＰ ＬＴＥ／ＬＴＥ−Ａを中心に説明するが、これに本発明の技術的思想が制限される訳ではない。また、以下の説明で使われる特定用語は、本発明の理解を助けるために提供されるものであり、このような特定用語の使用は、本発明の技術的思想を逸脱しない範囲で他の形態に変更してもよい。
【００２１】
図１は、無線フレームの構造を示す図である。
【００２２】
図１を参照すると、無線フレームは、１０個のサブフレームを含む。サブフレームは、時間ドメインにおいて２つのスロットを含む。サブフレームを送信する時間が送信時間間隔（ＴＴＩ）と定義される。例えば、１サブフレームは、１ｍｓの長さを有することができ、１スロットは０．５ｍｓの長さを有することができる。１スロットは、時間ドメインにおいて、複数のＯＦＤＭ又はＳＣ−ＦＤＭＡシンボルを有する。ＬＴＥは、下りリンクにおいてＯＦＤＭＡを用い、上りリンクにおいてＳＣ−ＦＤＭＡを用いるため、ＯＦＤＭ又はＳＣ−ＦＤＭＡシンボルは、１シンボル期間を表す。リソースブロック（ＲＢ）は、リソース割当ユニットであり、１スロットで複数の連続した副搬送波を含む。同図の無線フレームの構造は例示的なものであり、無線フレームに含まれるサブフレームの個数と、サブフレームに含まれるスロットの個数と、スロットに含まれるシンボルの個数とは方式に応じて変えてもよい。
【００２３】
図２は、下りリンクスロットのリソースグリッドを例示する図である。
【００２４】
図２を参照すると、下りリンクスロットは、時間ドメインにおいて複数のＯＦＤＭシンボルを含む。１下りリンクスロットは、７（６）個のＯＦＤＭシンボルを含み、リソースブロックは、周波数ドメインにおいて１２個の副搬送波を含むことができる。リソースグリッド上の各要素は、リソース要素（ＲＥ）と呼ばれる。１個のＲＢは、１２×７（６）個のＲＥを含む。下りリンクスロットに含まれるＲＢの個数ＮＲＢは、下りリンク送信帯域に依存する。上りリンクスロットの構造は、下りリンクスロットの構造と同一であり、ただし、ＯＦＤＭシンボルがＳＣ−ＦＤＭＡシンボルに置き替えられる。
【００２５】
図３は、下りリンクサブフレームの構造を示す図である。
【００２６】
図３を参照すると、サブフレームの１番目のスロットにおいて前部に位置している最大３（４）個のＯＦＤＭシンボルは、制御チャネルが割り当てられる制御領域に対応する。残りのＯＦＤＭシンボルは、物理下りリンク共有チャネル（ＰＤＳＣＨ）が割り当てられるデータ領域に該当する。ＰＤＳＣＨは、伝送ブロック（Ｔｒａｎｓｐｏｒｔ  Ｂｌｏｃｋ、ＴＢ）又はそれに対応する符号語（ＣＷ）を運ぶために用いられる。伝送ブロックは、送信チャネルを介してＭＡＣ層からＰＨＹ層に伝達されたデータブロックを意味する。符号語は、伝送ブロックの符号化したバージョンに該当する。伝送ブロックと符号語との対応関係はスワッピングによって異なってくる。本明細書では、ＰＤＳＣＨ、伝送ブロック及び符号語が同じ意味で使われる。ＬＴＥで用いられる下りリンク制御チャネルの例には、物理制御フォーマット指示子チャネル（ＰＣＦＩＣＨ）、物理下りリンク制御チャネル（ＰＤＣＣＨ）、物理ＨＡＲＱ指示子チャネル（ＰＨＩＣＨ）などがある。ＰＣＦＩＣＨは、サブフレームの１番目のＯＦＤＭシンボルで送信され、サブフレーム内において制御チャネルの送信に使われるＯＦＤＭシンボルの個数に関する情報を運ぶ。ＰＨＩＣＨは、上りリンク送信の応答としてＨＡＲＱ肯定応答／否定応答（ＡＣＫ／ＮＡＣＫ）信号を運ぶ。
【００２７】
ＰＤＣＣＨを介して送信される制御情報を下りリンク制御情報（ＤＣＩ）と呼ぶ。ＤＣＩは、端末又は端末グループのためのリソース割当情報及び他の制御情報を含む。例えば、ＤＣＩは、上りリンク／下りリンクスケジュール情報、上りリンク送信（Ｔｘ）電力制御命令などを含む。複数アンテナ技術を構成するための送信モード及びＤＣＩフォーマットの情報内容は、次のとおりである。
【００２８】
送信モード
・送信モード１: 一つの基地局アンテナポートからの送信
・送信モード２: 送信ダイバシチ 
・送信モード３: 開ループ空間多重化 
・送信モード４: 閉ループ空間多重化 
・送信モード５: 複数ユーザＭＩＭＯ 
・送信モード６: 閉ループランク１プリコーディング
・送信モード７: 端末特定参照信号を用いた送信
【００２９】
ＤＣＩフォーマット
・フォーマット０: ＰＵＳＣＨ送信（上りリンク）用のリソース許可
・フォーマット１: 単一符号語ＰＤＳＣＨ送信（送信モード１，２及び７）用のリソース割当て
・フォーマット１Ａ: 単一符号語ＰＤＳＣＨ（全モード）用のリソース割当ての簡潔な信号通知
・フォーマット１Ｂ: ランク１閉ループプリコーディング（モード６）を用いたＰＤＳＣＨ用の簡潔なリソース割当て 
・フォーマット１Ｃ: ＰＤＳＣＨ（例えば、呼出し／同報システム情報）用の非常に簡潔なリソース割当て
・フォーマット１Ｄ: 複数ユーザＭＩＭＯ（モード５）を用いたＰＤＳＣＨ用の簡潔なリソース割当て 
・フォーマット２: 閉ループＭＩＭＯ運用（モード４）用のＰＤＳＣＨのリソース割当て
・フォーマット２Ａ: 開ループＭＩＭＯ運用（モード３）用のＰＤＳＣＨのリソース割当て
・フォーマット３／３Ａ: ２ビット／１ビット電力調整を有するＰＵＣＣＨ及びＰＵＳＣＨ用の電力制御命令
【００３０】
上述したように、ＰＤＣＣＨは、下りリンク共有チャネル（ＤＬ−ＳＣＨ）の送信フォーマット及びリソース割当情報、上りリンク共有チャネル（ＵＬ−ＳＣＨ）の送信フォーマット及びリソース割当情報、呼出しチャネル（ＰＣＨ）上の呼出し情報、ＤＬ−ＳＣＨ上のシステム情報、ＰＤＳＣＨ上で送信されるランダムアクセス応答のような上位層制御メッセージのリソース割当情報、端末グループ内の個別端末に対するＴｘ電力制御命令セット、Ｔｘ電力制御命令、ＶｏＩＰ（Ｖｏｉｃｅ  ｏｖｅｒ  ＩＰ）の活性化指示情報などを運ぶ。複数のＰＤＣＣＨが制御領域内で送信され、端末は、複数のＰＤＣＣＨを監視することもできる。ＰＤＣＣＨは、一つ又は複数の連続した制御チャネル要素（ＣＣＥ）の集合（ａｇｇｒｅｇａｔｉｏｎ）上で送信される。ＣＣＥは、ＰＤＣＣＨに、無線チャネル状態に応じた符号化速度を提供するために使われる論理的割当ユニットである。ＣＣＥは、複数のリソース要素グループ（ＲＥＧ）に対応する。ＰＤＣＣＨのフォーマット及びＰＤＣＣＨビットの個数は、ＣＣＥの個数によって決定される。基地局は、端末に送信されるＤＣＩに基づいてＰＤＣＣＨフォーマットを決定し、制御情報に巡回冗長検査ビット（ＣＲＣ）を付加する。ＣＲＣには、ＰＤＣＣＨの所有者又は使用目的に基づいて識別子（例えば、無線ネットワーク一時識別子（ＲＮＴＩ））をマスク（又は、スクランブル）することができる。例えば、ＰＤＣＣＨが特定端末のためのものであるときは、該当の端末の識別子（例えば、セルＲＮＴＩ（Ｃ−ＲＮＴＩ））をＣＲＣにマスクすることができる。ＰＤＣＣＨが呼出しメッセージのためのものであるときは、呼出し識別子（例えば、呼出しＲＮＴＩ（Ｐ−ＲＮＴＩ））をＣＲＣにマスクすることができる。ＰＤＣＣＨがシステム情報（より具体的には、システム情報ブロック（ＳＩＢ））のためのものであるときは、システム情報ＲＮＴＩ（ＳＩ−ＲＮＴＩ）をＣＲＣにマスクすることができる。ＰＤＣＣＨがランダムアクセス応答のためのものであるときは、ランダムアクセスＲＮＴＩ（ＲＡ−ＲＮＴＩ）をＣＲＣにマスクすることができる。
【００３１】
図４には、ＬＴＥで用いられる上りリンクサブフレームの構造を例示する。
【００３２】
図４を参照すると、上りリンクサブフレームは、複数（例えば、２個）のスロットを含む。スロットは、ＣＰ長によって異なった数のＳＣ−ＦＤＭＡシンボルを含むことができる。上りリンクサブフレームは、周波数領域においてデータ領域と制御領域とに区別される。データ領域は、ＰＵＳＣＨを含み、音声などのデータ信号を送信するために用いられる。制御領域は、ＰＵＣＣＨを含み、上りリンク制御情報（ＵＣＩ）を送信するために用いられる。ＰＵＣＣＨは、周波数軸においてデータ領域の両端部に位置しているＲＢ対（ＲＢ  ｐａｉｒ）を含み、スロットを境界にホップする。
【００３３】
下記の制御情報を送信するためにＰＵＣＣＨを用いることができる。
【００３４】
- スケジュール要求（ＳＲ）：上りリンクＵＬ−ＳＣＨリソースを要求するために用いる情報である。オン・オフ変調（ＯＯＫ）方式を用いて送信する。
【００３５】
- ＨＡＲＱ ＡＣＫ／ＮＡＣＫ：ＰＤＳＣＨ上の下りリンクデータパケットに対する応答信号である。下りリンクデータパケットの受信に成功したか否かを示す。単一の下りリンク符号語に対する応答としてＡＣＫ／ＮＡＣＫ １ビットが送信され、２つの下りリンク符号語に対する応答としてＡＣＫ／ＮＡＣＫ ２ビットが送信される。
【００３６】
- チャネル品質指示子（ＣＱＩ）：下りリンクチャネルに対するフィードバック情報である。多入力他出力（ＭＩＭＯ）関連フィードバック情報は、ランク指示子（ＲＩ）及びプリコーディング行列指示子（ＰＭＩ）を含む。サブフレーム当たり２０ビットが用いられる。
【００３７】
端末がサブフレームで送信し得る制御情報（ＵＣＩ）の量は、制御情報の送信に可用なＳＣ−ＦＤＭＡの個数に依存する。制御情報送信に可用なＳＣ−ＦＤＭＡは、サブフレームにおいて参照信号送信のためのＳＣ−ＦＤＭＡシンボルを除いた残りのＳＣ−ＦＤＭＡシンボルを意味し、測定参照信号（ＳＲＳ）が設定されたサブフレームでは、サブフレームの最後のＳＣ−ＦＤＭＡシンボルも除外される。参照信号は、ＰＵＣＣＨのコヒーレント検出に用いられる。ＰＵＣＣＨは、送信される情報によって７個のフォーマットをサポートする。
【００３８】
表１に、ＬＴＥにおいてＰＵＣＣＨフォーマットとＵＣＩとのマップ関係を示す。
【００３９】
（表１）
【表４】
0005932809.tif 000005
【００４０】
図５には、ＰＵＣＣＨフォーマット１ａ／１ｂのスロットレベルの構造を示す。ＰＵＣＣＨフォーマット１ａ／１ｂは、ＡＣＫ／ＮＡＣＫ送信に用いられる。正規ＣＰの場合には、ＳＣ−ＦＤＭＡ＃２／＃３／＃４が復調参照信号（ＤＭ ＲＳ）送信に用いられる。拡張ＣＰの場合には、ＳＣ−ＦＤＭＡ＃２／＃３がＤＭ ＲＳ送信に用いられる。したがって、スロットにおいて４個のＳＣ−ＦＤＭＡシンボルがＡＣＫ／ＮＡＣＫ送信に用いられる。便宜上、ＰＵＣＣＨフォーマット１ａ／１ｂをＰＵＣＣＨフォーマット１と総称する。
【００４１】
図５を参照すると、１ビット［ｂ（０）］及び２ビット［ｂ（０）ｂ（１）］ＡＣＫ／ＮＡＣＫ情報はそれぞれＢＰＳＫ及びＱＰＳＫ変調方式によって変調され、一つのＡＣＫ／ＮＡＣＫ変調シンボルが生成される（ｄ０）。ＡＣＫ／ＮＡＣＫ情報においてそれぞれのビット［ｂ（ｉ）、ｉ＝０，１］は、該当のＤＬ伝送ブロックに対するＨＡＲＱ応答を示し、肯定応答（ＡＣＫ）の場合にはビットに１が与えられ、否定応答（ＮＡＣＫ）の場合に該当ビットに０が与えられる。表２には、既存ＬＴＥにおいてＰＵＣＣＨフォーマット１ａ及び１ｂのために定義された変調テーブルを示す。
【００４２】
（表２）
【表５】
0005932809.tif 000006
【００４３】
ＰＵＣＣＨフォーマット１ａ／１ｂは、上述のＣＱＩと同様に、周波数ドメインで巡回シフト（αｃｓ，ｘ）を行うほか、直交拡散符号（例えば、Ｗａｌｓｈ−Ｈａｄａｍａｒｄ又はＤＦＴ符号）（ｗ０，ｗ１，ｗ２，ｗ３）を用いて時間ドメイン拡散を行う。ＰＵＣＣＨフォーマット１ａ／１ｂでは、周波数及び時間ドメインの双方で符号多重化が用いられるため、より多数の端末を同一のＰＵＣＣＨ ＲＢ上に多重化することができる。
【００４４】
それぞれ異なった端末から送信されるＲＳは、ＵＣＩと同様の方法で多重化する。ＰＵＣＣＨ ＡＣＫ／ＮＡＣＫ ＲＢのためのＳＣ−ＦＤＭＡシンボルでサポートされる巡回シフトの個数は、セル特定（ｃｅｌｌ−ｓｐｅｃｉｆｉｃ）上位層信号通知パラメータΔＰＵＣＣＨｓｈｉｆｔによって設定することができる。ΔＰＵＣＣＨｓｈｉｆｔ∈｛１、２、３｝はそれぞれ、シフト値が１２、６及び４であることを示す。時間ドメインＣＤＭにおいてＡＣＫ／ＮＡＣＫに実際に用い得る拡散符号の個数は、ＲＳシンボルの個数によって制限されることがある。ＲＳシンボルの数が少ないため、ＲＳシンボルの多重化容量（ｍｕｌｔｉｐｌｅｘｉｎｇ  ｃａｐａｃｉｔｙ）はＵＣＩシンボルの多重化容量よりも小さい。
【００４５】
図６には、ＡＣＫ／ＮＡＣＫのためのＰＵＣＣＨリソースを決定する例を示す。ＬＴＥシステムにおいて、ＡＣＫ／ＮＡＣＫのためのＰＵＣＣＨリソースは各端末に予め割り当てられておらず、複数のＰＵＣＣＨリソースをセル内の複数の端末が時点ごとに分けて使用する。具体的には、端末がＡＣＫ／ＮＡＣＫを送信するために用いるＰＵＣＣＨリソースは、該当の下りリンクデータに関するスケジュール情報を運ぶＰＤＣＣＨに対応する。それぞれの下りリンクサブフレームにおいてＰＤＣＣＨの送信される全体領域は複数のＣＣＥで構成され、端末に送信されるＰＤＣＣＨは一つ以上のＣＣＥで構成される。端末は、自身が受信したＰＤＣＣＨを構成するＣＣＥのうち、特定ＣＣＥ（例えば、最初のＣＣＥ）に対応するＰＵＣＣＨリソースを用いてＡＣＫ／ＮＡＣＫを送信する。
【００４６】
図６を参照すると、下りリンクコンポーネント搬送波（ＤＬ ＣＣ）において、各ます目はＣＣＥを表し、上りリンクコンポーネント搬送波（ＵＬ ＣＣ）において、各ます目はＰＵＣＣＨリソースを表す。それぞれのＰＵＣＣＨインデクスは、ＡＣＫ／ＮＡＣＫのためのＰＵＣＣＨリソースに対応する。図６に示すように、４〜６番目のＣＣＥで構成されたＰＤＣＣＨを介してＰＤＳＣＨに関する情報が伝達されるとき、端末は、ＰＤＣＣＨを構成する最初のＣＣＥである４番目のＣＣＥに対応する４番目のＰＵＣＣＨを介してＡＣＫ／ＮＡＣＫを送信する。図６は、ＤＬ ＣＣに最大Ｎ個のＣＣＥが存在するときに、ＵＬ ＣＣに最大Ｍ個のＰＵＣＣＨが存在する場合を例示する。Ｎ＝Ｍでもよいが、Ｍ値とＮ値とを異なるように設計し、ＣＣＥとＰＵＣＣＨとのマップが重なるようにしてもよい。
【００４７】
具体的には、ＬＴＥシステムにおいてＰＵＣＣＨリソースインデクスは下記のように定められる。
【００４８】
【数１】
0005932809.tif 000007
【００４９】
ここで、ｎ（１）ＰＵＣＣＨは、ＡＣＫ／ＮＡＣＫ／ＤＴＸを送信するためのＰＵＣＣＨフォーマット１のリソースインデクスを表し、Ｎ（１）ＰＵＣＣＨは、上位層から伝達される信号通知値を表し、ｎＣＣＥは、ＰＤＣＣＨ送信に用いられたＣＣＥインデクスのうち、最小の値を表す。ｎ（１）ＰＵＣＣＨから、ＰＵＣＣＨフォーマット１ａ／１ｂのための巡回シフト、直交拡散符号及び物理リソースブロック（ＰＲＢ）が得られる。
【００５０】
ＬＴＥシステムがＴＤＤ方式で動作する場合に、端末は、異なった時点のサブフレームで受信した複数のＰＤＳＣＨに対して一つの多重化したＡＣＫ／ＮＡＣＫ信号を送信する。具体的には、端末は、ＰＵＣＣＨ選択送信方式を用いて複数のＰＤＳＣＨに対して一つの多重化したＡＣＫ／ＮＡＣＫ信号を送信する。ＰＵＣＣＨ選択送信はＡＣＫ／ＮＡＣＫ選択方式とも呼ばれる。ＰＵＣＣＨ選択送信方式において端末は複数の下りリンクデータを受信した場合に、多重化したＡＣＫ／ＮＡＣＫ信号を送信するために複数の上りリンク物理チャネルを占有する。一例として、端末は、複数のＰＤＳＣＨを受信した場合に、それぞれのＰＤＳＣＨを指示するＰＤＣＣＨの特定ＣＣＥを用いて同一数のＰＵＣＣＨを占有することができる。この場合、占有した複数のＰＵＣＣＨからいずれのＰＵＣＣＨを選択するかと、選択したＰＵＣＣＨに適用される変調／符号化した内容との組合せを用いて、多重化したＡＣＫ／ＮＡＣＫ信号を送信することができる。
【００５１】
表３に、ＬＴＥシステムに定義されたＰＵＣＣＨ選択送信方式を示す。
【００５２】
（表３）
【表６】
0005932809.tif 000008
【００５３】
表３において、ＨＡＲＱ−ＡＣＫ(ｉ)は、ｉ番目のデータユニット（０≦ｉ≦３）のＨＡＲＱ ＡＣＫ／ＮＡＣＫ／ＤＴＸ結果を表す。ＨＡＲＱ ＡＣＫ／ＮＡＣＫ／ＤＴＸ結果は、ＡＣＫ、ＮＡＣＫ、ＤＴＸ、ＮＡＣＫ／ＤＴＸを含む。ＮＡＣＫ／ＤＴＸは、ＮＡＣＫ又はＤＴＸを表す。ＡＣＫ及びＮＡＣＫは、ＰＤＳＣＨを介して送信された伝送ブロック（符号ブロックと等価）の復号成功及び失敗を表す。不連続送信（ＤＴＸ）は、ＰＤＣＣＨ検出失敗を表す。それぞれのデータユニットと関連して最大４個のＰＵＣＣＨリソース（すなわち、ｎ（１）ＰＵＣＣＨ，０〜ｎ（１）ＰＵＣＣＨ，３）を占有することができる。多重化したＡＣＫ／ＮＡＣＫは、占有したＰＵＣＣＨリソースから選択された一つのＰＵＣＣＨリソースを用いて送信される。表３に記載されたｎ（１）ＰＵＣＣＨ,ｉは、実際にＡＣＫ／ＮＡＣＫを送信するために用いられるＰＵＣＣＨリソースを表す。ｂ(０)ｂ(１)は、選択されたＰＵＣＣＨリソースを用いて送信される２ビットを表し、ＱＰＳＫ方式で変調される。一例として、端末が４個のデータユニットを成功裏に復号した場合に、端末はｎ（１）ＰＵＣＣＨ，１と結合されたＰＵＣＣＨリソースを用いて（１，１）を基地局に送信する。ＰＵＣＣＨリソースとＱＰＳＫシンボルとの組合せが、可能なＡＣＫ／ＮＡＣＫ仮定をすべて表すには足りないため、一部の場合以外は、ＮＡＣＫとＤＴＸとが結合される（ＮＡＣＫ／ＤＴＸ、Ｎ／Ｄ）。
【００５４】
図７には、搬送波集約（Ｃａｒｒｉｅｒ  Ａｇｇｒｅｇａｔｉｏｎ、ＣＡ）通信システムを例示する。ＬＴＥ−Ａシステムは、より広い周波数帯域のために複数の上り／下りリンク周波数ブロックを束ねてより大きい上り／下りリンク帯域幅を用いる搬送波集約技術を用いる。各周波数ブロックは、コンポーネント搬送波（ＣＣ）を用いて送信される。コンポーネント搬送波は、該当の周波数ブロックのための搬送波周波数（又は、中心搬送波、中心周波数）と理解してもよい。
【００５５】
図７を参照すると、複数の上り／下りリンクコンポーネント搬送波（ＣＣ）を束ねてより広い上り／下りリンク帯域幅をサポートすることができる。それぞれのＣＣは周波数領域で互いに隣接しても、隣接しなくてもよい。各コンポーネント搬送波の帯域幅は独立して定めることができる。ＵＬ ＣＣの個数とＤＬ ＣＣの個数とが異なった非対称搬送波集約も可能である。例えば、２個のＤＬ ＣＣ及び１個のＵＬ ＣＣの場合は２：１で対応するように構成することができる。ＤＬ ＣＣ／ＵＬ ＣＣリンクは、システムに固定されていてもよく、半静的に構成されてもよい。また、システム全体帯域がＮ個のＣＣで構成されていても、特定端末が監視／受信し得る周波数帯域はＭ（＜Ｎ）個のＣＣに限定することができる。搬送波集約に関する種々のパラメータは、セル特定（ｃｅｌｌ−ｓｐｅｃｉｆｉｃ）、端末グループ特定（ＵＥ  ｇｒｏｕｐ−ｓｐｅｃｉｆｉｃ）又は端末特定（ＵＥ−ｓｐｅｃｉｆｉｃ）方式で設定することができる。一方、制御情報は特定ＣＣを通じてだけ送受信されるように設定することができる。このような特定ＣＣを１次ＣＣ（ＰＣＣ）（又はアンカＣＣ）と呼び、残りのＣＣを２次ＣＣ（ＳＣＣ）と呼ぶこともできる。
【００５６】
ＬＴＥ−Ａは、無線リソースを管理するためにセルの概念を用いる。セルは、下りリンクリソースと上りリンクリソースとの組合せで定義され、ここで、上りリンクリソースは必須要素ではない。そのため、セルは、下りリンクリソース単独で構成されることもあり、又は下りリンクリソース及び上りリンクリソースの両方で構成されることもある。搬送波集約がサポートされる場合に、下りリンクリソースの搬送波周波数（又は、ＤＬ ＣＣ）と上りリンクリソースの搬送波周波数（又は、ＵＬ ＣＣ）との結合（ｌｉｎｋａｇｅ）はシステム情報によって指示可能である。１次周波数（又はＰＣＣ）上で動作するセルを１次セル（ＰＣｅｌｌ）と呼び、２次周波数（又はＳＣＣ）上で動作するセルを２次セル（ＳＣｅｌｌ）と呼ぶことができる。ＰＣｅｌｌは、端末が初期接続確立過程を行ったり、接続再確立過程を行ったりするために用いられる。ＰＣｅｌｌは、ハンドオーバ過程で指示されたセルを指すこともある。ＳＣｅｌｌは、ＲＲＣ接続が確立された後に構成可能であり、追加の無線リソースを提供するために用いることができる。ＰＣｅｌｌ及びＳＣｅｌｌはサービス提供セルと総称してもよい。そのため、ＲＲＣ＿ＣＯＮＮＥＣＴＥＤ状態にあるが、搬送波集約が設定されていないか、搬送波集約をサポートしない端末の場合は、ＰＣｅｌｌだけで構成されたサービス提供セルが一つだけ存在する。一方、ＲＲＣ＿ＣＯＮＮＥＣＴＥＤ状態にあり、且つ搬送波集約が設定された端末の場合は、一つ以上のサービス提供セルが存在し、全体サービス提供セルにはＰＣｅｌｌ及び全体ＳＣｅｌｌが含まれる。搬送波集約のために、ネットワークは、初期セキュリティ活性化過程が開始された後、接続確立過程で、初期に構成されるＰＣｅｌｌに加えて一つ以上のＳＣｅｌｌを、搬送波集約をサポートする端末のために構成することができる。
【００５７】
図８に、複数の搬送波が束ねられた場合のスケジュールを例示する。３個のＤＬ ＣＣが束ねられたと仮定する。ＤＬ ＣＣ ＡがＰＤＣＣＨ ＣＣと設定されたとする。ＤＬ ＣＣ Ａ〜Ｃを、サービス提供ＣＣ、サービス提供搬送波、サービス提供セルなどと呼ぶこともできる。ＣＩＦが無効化された場合に、それぞれのＤＬ ＣＣはＬＴＥ ＰＤＣＣＨ規則に従ってＣＩＦなしに自身のＰＤＳＣＨをスケジュールするＰＤＣＣＨだけを送信することができる。一方、端末特定（又は、端末グループ特定又はセル特定）上位層信号通知によってＣＩＦが有効化された場合には、ＤＬ ＣＣ Ａ（ＰＤＣＣＨ ＣＣ）はＣＩＦを用いてＤＬ ＣＣ ＡのＰＤＳＣＨをスケジュールするＰＤＣＣＨに加えて、他のＣＣのＰＤＳＣＨをスケジュールするＰＤＣＣＨも送信することができる。この場合、ＰＤＣＣＨ ＣＣと設定されていないＤＬ ＣＣ Ｂ／ＣではＰＤＣＣＨが送信されない。そのため、ＤＬ ＣＣ Ａ（ＰＤＣＣＨ ＣＣ）は、ＤＬ ＣＣ Ａに関連したＰＤＣＣＨ探索空間、ＤＬ ＣＣ Ｂに関連したＰＤＣＣＨ探索空間、及びＤＬ ＣＣ Ｃに関連したＰＤＣＣＨ探索空間をすべて含まなければならない。
【００５８】
ＬＴＥ−Ａは、複数のＤＬ ＣＣを介して送信された複数のＰＤＳＣＨに対する複数のＡＣＫ／ＮＡＣＫ情報／信号を、特定ＵＬ ＣＣ（例えば、ＵＬ ＰＣＣ又はＵＬ ＰＣｅｌｌ）を介してフィードバックすることを考慮している。説明のために、端末が、あるＤＬ ＣＣで単一ユーザＭＩＭＯ（ＳＵ−ＭＩＭＯ）モードで動作して２個の符号語（又は伝送ブロック）を受信するとしよう。この場合、端末は、該当のＤＬ ＣＣに対してＡＣＫ／ＡＣＫ、ＡＣＫ／ＮＡＣＫ、ＮＡＣＫ／ＡＣＫ、ＮＡＣＫ／ＮＡＣＫの総計４個のフィードバック状態、又はＤＴＸまで含めて最大５個のフィードバック状態を送信できるものでなければならない。該当のＤＬ ＣＣが単一の符号語（又は伝送ブロック）をサポートするように設定されたとき、該当のＤＬ ＣＣに対してＡＣＫ、ＮＡＣＫ、ＤＴＸの最大３個の状態が存在する。ＮＡＣＫをＤＴＸと同一に処理したとき、該当のＤＬ ＣＣに対してＡＣＫ、ＮＡＣＫ／ＤＴＸの総計２個のフィードバック状態が存在するようになる。したがって、端末が最大５個のＤＬ ＣＣを束ね、且つすべてのＣＣでＳＵ−ＭＩＭＯモードで動作するとき、最大５５個の送信可能なフィードバック状態を有することができ、これを表現するためのＡＣＫ／ＮＡＣＫペイロードサイズは総計１２ビットとなる。ＤＴＸをＮＡＣＫと同一に処理したとき、フィードバック状態の数は４５個になり、これを表現するためのＡＣＫ／ＮＡＣＫペイロードサイズは総計１０ビットとなる。
【００５９】
ＦＤＤ ＬＴＥ−Ａシステムでは、複数搬送波状況において、既存ＬＴＥ ＴＤＤシステムに用いられたＰＵＣＣＨフォーマット１ａ／１ｂと、ＡＣＫ／ＮＡＣＫ多重化（すなわち、ＡＣＫ／ＮＡＣＫチャネル選択）方法とを用いて複数のＡＣＫ／ＮＡＣＫ情報／信号を送信することが論議されている。一方、既存ＬＴＥ ＴＤＤシステムにおいて、ＡＣＫ／ＮＡＣＫ多重化（すなわち、ＡＣＫ／ＮＡＣＫ選択）方法は、ＰＵＣＣＨリソースの確保のために、それぞれのＰＤＳＣＨをスケジュールするそれぞれのＰＤＣＣＨに対応する（すなわち、最小ＣＣＥインデクスと結合された）ＰＵＣＣＨリソースを用いる暗黙的ＡＣＫ／ＮＡＣＫ選択方式を用いる。しかし、異なったＲＢ内のＰＵＣＣＨリソースを用いて暗黙的ＡＣＫ／ＮＡＣＫ選択方式を適用すると、性能劣化につながることがある。そのため、ＬＴＥ−Ａでは、ＲＲＣ信号通知などを用いて各端末に予約されたＰＵＣＣＨリソース、好ましくは、同一ＲＢ又は隣接ＲＢ内の複数のＰＵＣＣＨリソースを用いる明示的ＡＣＫ／ＮＡＣＫ選択方式も共に論議されている。
【００６０】
表４に、ＨＡＲＱ−ＡＣＫのためのＰＵＣＣＨリソースを明示的に指示する例を示す。具体的には、上位層（例えば、ＲＲＣ）によってＰＵＣＣＨリソースセットが設定され、ＰＤＣＣＨのＡＣＫ／ＮＡＣＫリソース指示子（ＡＲＩ）値を用いて、実際に用いられるＰＵＣＣＨリソースを指示することができる。これに制限される訳ではないが、ＳＣｅｌｌ上のＰＤＳＣＨに対応するＰＤＣＣＨの送信電力制御（ＴＰＣ）フィールドを用いてＡＲＩ値を指示することができる。ＡＲＩはＨＡＲＱ−ＡＣＫリソース指示値と混用される。
【００６１】
（表４）
【表７】
0005932809.tif 000009
【００６２】
以下、図９〜図１２を参照して、ＬＴＥ−Ａで従来論議されたＡＣＫ／ＮＡＣＫチャネル選択方式について説明する。従来のＬＴＥ−ＡにおいてＡＣＫ／ＮＡＣＫチャネル選択用マップテーブルは下記の条件を優先して設計された。
【００６３】
（１）完全な（ｆｕｌｌ）暗黙的ＰＵＣＣＨリソース指示をサポート。暗黙的ＰＵＣＣＨリソースとは、ＤＬ許可ＰＤＣＣＨを構成する一つ以上のＣＣＥのうち、特定のＣＣＥ（例えば、最初のＣＣＥ）と結合されたＰＵＣＣＨリソースを意味する（数式１参照）。
【００６４】
（２）ＬＴＥフォールバックをサポート。ＬＴＥフォールバックとは、ＰＣｅｌｌ以外のサービス提供セル（すなわち、ＳＣｅｌｌ）に対していずれもＮＡＣＫ／ＤＴＸである場合に、ＡＣＫ／ＮＡＣＫ状態送信に用いられるＰＵＣＣＨフォーマット及び当該ＰＵＣＣＨフォーマットを通じて送信される変調シンボルが、既存のＬＴＥで定義された方式に従う方式を意味する。ＡＣＫ／ＮＡＣＫ状態及び変調シンボルのマップは、ＰＣｅｌｌに対するＡＣＫ／ＮＡＣＫを基準に決定される。
【００６５】
（３）最悪ＡＣＫ／ＮＡＣＫビット性能を改善及び平均性能を改善し、個別ＡＣＫ／ＮＡＣＫビット性能を均等化（ｅｑｕａｌｉｚａｔｉｏｎ）
【００６６】
図９及び図１０に、３ビットＡＣＫ／ＮＡＣＫチャネル選択のためのマップ方法を示す。既存のＬＴＥ−Ａの３ビットＡＣＫ／ＮＡＣＫチャネル選択は、２個のサービス提供セルが束ねられた場合を仮定する。そのため、３ビットＡＣＫ／ＮＡＣＫチャネル選択状況は、１個の空間分割多重化（ＳＤＭ）セルと１個の非ＳＤＭセルとが束ねられた場合を示す。ＳＤＭセルは、最大ｍ（例えば、ｍ＝２）個の伝送ブロック送信をサポートする送信モードに設定されたセルを意味する。
【００６７】
図９を参照すると、ＨＡＲＱ−ＡＣＫ(０)(１)(２)（同図で、ｂ０／ｂ１／ｂ２）に対応するセル及び符号語はＳＤＭ設定に応じて異なる。具体的に、ＳＤＭ ＰＣｅｌｌ＋非ＳＤＭ ＳＣｅｌｌの場合に、ＨＡＲＱ−ＡＣＫ(０)(１)(２)はそれぞれ、ＰＣｅｌｌ ＣＷ０、ＰＣｅｌｌ ＣＷ１、ＳＣｅｌｌ ＣＷ０に対応する。一方、非ＳＤＭ ＰＣｅｌｌ＋ＳＤＭ ＳＣｅｌｌの場合には、ＨＡＲＱ−ＡＣＫ(０)(１)(２)はそれぞれ、ＳＣｅｌｌ ＣＷ０、ＳＣｅｌｌ ＣＷ１、ＰＣｅｌｌ ＣＷ０に対応する。すなわち、ＨＡＲＱ−ＡＣＫ(０)(１)(２)はそれぞれ、ＳＤＭセルＣＷ０、ＳＤＭセルＣＷ１、非ＳＤＭセルＣＷ０に対応する。
【００６８】
表５は、３ビットＡＣＫ／ＮＡＣＫチャネル選択方式においてＨＡＲＱ−ＡＣＫとＣＷとの対応関係を示す。ＣＷはＴＢと等価である。下記の表５はＴＢを基準に述べる。
【００６９】
（表５）
【表８】
0005932809.tif 000010
【００７０】
ここで、サービス提供セル１は、最大２つの伝送ブロック送信をサポートする送信モードに設定されたセル（すなわち、ＳＤＭセル）を意味し、サービス提供セル２は、単一の伝送ブロック送信をサポートする送信モードに設定されたセル（すなわち、非ＳＤＭセル）を意味する。
【００７１】
ＰＣｅｌｌがＳＤＭモードに設定された場合、ＰＵＣＣＨリソース０及び１はそれぞれ暗黙的に信号通知される。例えば、ＰＵＣＣＨリソース０及び１は、ＰＣｅｌｌのＰＤＳＣＨに対応するＤＬ許可ＰＤＣＣＨを構成するＣＣＥ（例えば、それぞれ、最小ＣＣＥインデクス、最小ＣＣＥインデクス＋１）に結合可能である（数式１参照）。ＰＵＣＣＨリソース２は、ＳＣｅｌｌのＰＤＳＣＨに対応するＤＬ許可ＰＤＣＣＨを構成するＣＣＥ（例えば、最小ＣＣＥインデクス）と結合してもよいし、ＲＲＣによって明示的に信号通知してもよい。
【００７２】
一方、ＰＣｅｌｌが非ＳＤＭに設定された場合、ＰＵＣＣＨリソース２は、ＰＣｅｌｌのＰＤＳＣＨに対応するＤＬ許可ＰＤＣＣＨを構成するＣＣＥ（例えば、最小ＣＣＥインデクス）に結合可能である。ＰＵＣＣＨリソース０及び１は、ＳＣｅｌｌのＰＤＳＣＨに対応するＤＬ許可ＰＤＣＣＨを構成するＣＣＥ（例えば、最小ＣＣＥインデクス、最小ＣＣＥインデクス＋１）に結合してもよく、ＲＲＣによって明示的に信号通知してもよい。
【００７３】
ＬＴＥ ＰＵＣＣＨフォーマット１ｂをサポートするために（ＰＣｅｌｌがＳＤＭである場合のＬＴＥフォールバック）、ＡＣＫ／ＡＣＫ／ＤＴＸ（Ａ／Ａ／Ｄ）状態は、ＰＵＣＣＨリソース０の−１にマップされ、ＮＡＣＫ／ＮＡＣＫ／ＤＴＸ（Ｎ／Ｎ／Ｄ）状態は、ＰＵＣＣＨリソース０の＋１にマップされる。また、ＰＵＣＣＨフォーマット１ａをサポートするために（ＰＣｅｌｌが非ＳＤＭである場合のＬＴＥフォールバック）、ＤＴＸ／ＤＴＸ／ＡＣＫ（Ｄ／Ｄ／Ａ）状態は、ＰＵＣＣＨリソース２の−１にマップされ、ＤＴＸ／ＤＴＸ／ＮＡＣＫ（Ｄ／Ｄ／Ｎ）状態は、ＰＵＣＣＨリソース２の＋１にマップされる。
【００７４】
図９に示したＡＣＫ／ＮＡＣＫマップは、最悪ＡＣＫ／ＮＡＣＫビット性能及び平均性能を改善し、個別ＡＣＫ／ＮＡＣＫビット性能が均等化するように設計された。
【００７５】
図１０に、図９によって構成された３ビット用のマップテーブルを示す。図１０を参照すると、端末は基地局からＰＤＳＣＨを受信した場合、サービス提供セルのＳＤＭ設定に応じてＨＡＲＱ−ＡＣＫ(０)(１)(２)を生成する。端末は、ＨＡＲＱ−ＡＣＫ(０)(１)(２)に対応するＰＵＣＣＨリソース（例えば、ｎ（ｌ）ＰＵＣＣＨ，ｉ）を選択し、選択されたＰＵＣＣＨリソースを用いて対応するビット値（又は変調値）を基地局に送信する。ＰＵＣＣＨリソース０〜２はそれぞれｎ（ｌ）ＰＵＣＣＨ，０〜ｎ（ｌ）ＰＵＣＣＨ，２に対応する。図１０はＱＰＳＫ変調を仮定する。
【００７６】
図１１及び図１２には、４ビットＡＣＫ／ＮＡＣＫチャネル選択のためのマップ方法を示す。既存のＬＴＥ−Ａの４ビットＡＣＫ／ＮＡＣＫチャネル選択は、２個のサービス提供セルが束ねられた場合を仮定する。そのため、４ビットＡＣＫ／ＮＡＣＫチャネル選択状況は、２個のＳＤＭセルが束ねられた場合を意味する。
【００７７】
図１１を参照すると、ＨＡＲＱ−ＡＣＫ(０)(１)(２)(３)（同図、ｂ０／ｂ１／ｂ２／ｂ３）はそれぞれＰＣｅｌｌ ＣＷ０、ＰＣｅｌｌ ＣＷ１、ＳＣｅｌｌ ＣＷ０、ＳＣｅｌｌ ＣＷ１に対応する。表６は、４ビットＡＣＫ／ＮＡＣＫチャネル選択方式でＨＡＲＱ−ＡＣＫとＣＷとの対応関係を示す。ＣＷはＴＢと等価である。下記の表６は、ＴＢを基準に述べる。
【００７８】
（表６）
【表９】
0005932809.tif 000011
【００７９】
この例で、ＰＵＣＣＨリソース０及び１はそれぞれ暗黙的に信号通知される。例えば、ＰＵＣＣＨリソース０及び１は、ＰＣｅｌｌのＰＤＳＣＨに対応するＤＬ許可ＰＤＣＣＨを構成するＣＣＥ（例えば、それぞれ、最小ＣＣＥインデクス、最小ＣＣＥインデクス＋１）に結合可能である（数式１参照）。ＰＵＣＣＨリソース２及び３は、ＳＣｅｌｌのＰＤＳＣＨのためのＤＬ許可ＰＤＣＣＨを構成するＣＣＥ（例えば、それぞれ、最小ＣＣＥインデクス、最小ＣＣＥインデクス＋１）に結合してもよいし、ＲＲＣによって明示的に信号通知してもよい。
【００８０】
ＬＴＥ ＰＵＣＣＨフォーマット１ｂをサポートするために（ＬＴＥフォールバック）、ＡＣＫ／ＡＣＫ／ＤＴＸ／ＤＴＸ（Ａ／Ａ／Ｄ／Ｄ）状態は、ＰＵＣＣＨリソース０の−１にマップされ、ＮＡＣＫ／ＮＡＣＫ／ＤＴＸ／ＤＴＸ（Ｎ／Ｎ／Ｄ／Ｄ）状態は、ＰＵＣＣＨリソース０の＋１にマップされる。
【００８１】
図１１に示したＡＣＫ／ＮＡＣＫマップは、最悪ＡＣＫ／ＮＡＣＫビット性能及び平均性能を改善し、個別ＡＣＫ／ＮＡＣＫビット性能が均等化するように設計された。
【００８２】
図１２は、図１１によって構成された４ビット用のマップテーブルを示す。図１２を参照すると、端末は基地局からＰＤＳＣＨを受信した場合に、サービス提供セルのＳＤＭ設定に応じてＨＡＲＱ−ＡＣＫ(０)(１)(２)(３)を生成する。端末は、ＨＡＲＱ−ＡＣＫ(０)(１)(２)(３)に対応するＰＵＣＣＨリソース（例えば、ｎ（ｌ）ＰＵＣＣＨ，ｉ）を選択し、選択されたＰＵＣＣＨリソースを用いて対応するビット値（又は変調値）を基地局に送信する。ＰＵＣＣＨリソース０〜３はそれぞれｎ（ｌ）ＰＵＣＣＨ，０〜ｎ（ｌ）ＰＵＣＣＨ，３に対応する。図１２は、ＱＰＳＫ変調を仮定する。
【００８３】
実施例
【００８４】
図９〜図１２を参照して説明した既存のＡＣＫ／ＮＡＣＫチャネル選択用マップ方式／テーブルは、空間バンドル（ｓｐａｔｉａｌ  ｂｕｎｄｌｉｎｇ）なしに２個のサービス提供セルが束ねられた場合だけをサポート可能に設計されている。空間バンドルとは、該当のセルの一つのサブフレームで受信された複数の符号語に対する複数のＨＡＲＱ−ＡＣＫを、論理積演算を用いて一つのＨＡＲＱ−ＡＣＫに束ねることを意味する。すなわち、図９〜図１２に示した既存の３ビット／４ビットＡＣＫ／ＮＡＣＫチャネル選択用マップ方式／テーブルは、３つ以上のサービス提供セルが束ねられた場合には適用することができない。しかし、図７を参照して説明したとおり、ＬＴＥ−Ａシステムは下りリンクにおいて最大５個のＣＣ（すなわち、サービス提供セル）を束ねることができるため、既存のＡＣＫ／ＮＡＣＫチャネル選択用マップ方式／テーブルの適用は制限される。
【００８５】
そこで、３つ以上のサービス提供セルが束ねられた場合にも適用可能なＡＣＫ／ＮＡＣＫチャネル選択方法が必要になる。例えば、３個の非ＳＤＭセルが束ねられた場合に、３ビットＡＣＫ／ＮＡＣＫチャネル選択を適用する方法が必要になる。また、１個のＳＤＭセルと２個の非ＳＤＭセルとが束ねられた場合、又は４個の非ＳＤＭセルが束ねられた場合に、４ビットＡＣＫ／ＮＡＣＫチャネル選択を適用する方法が必要になる。前述の例において、非ＳＤＭセルは、空間バンドルの適用されたＳＤＭセル、空間バンドル／セルバンドルの適用されたＳＤＭセルグループで代替してもよい。ここで、空間バンドルは、該当のセルの一つのサブフレームで受信された複数の符号語に対する複数のＨＡＲＱ−ＡＣＫを、論理積演算を用いて一つのＨＡＲＱ−ＡＣＫに束ねることを意味する。セルバンドルは、複数のセルに対する複数のＨＡＲＱ−ＡＣＫを、論理積演算を用いて一つのＨＡＲＱ−ＡＣＫに束ねることを意味する。
【００８６】
上述した問題を解決するために、３つ以上のサービス提供セルが束ねられた場合に対する３ビット／４ビットＡＣＫ／ＮＡＣＫチャネル選択用マップテーブルをさらに定義する方法が考えられる。この場合、３ビットＡＣＫ／ＮＡＣＫチャネル選択のために、３個の非ＳＤＭセルが束ねられた場合のマップテーブルを更に定義しなければならない。また、４ビットＡＣＫ／ＮＡＣＫチャネル選択のために、（１）１個のＳＤＭセルと２個の非ＳＤＭセルとが束ねられた場合、（２）４個の非ＳＤＭセルが束ねられた場合のマップテーブルを更に定義しなければならない。
【００８７】
３つ以上のサービス提供セルが束ねられた場合に対してマップテーブルを新しく定義するとき、各マップテーブルに必要なＡＣＫ／ＮＡＣＫ組合せの個数は次のとおりである。参考として、非ＳＤＭセルに対するＨＡＲＱ−ＡＣＫ応答は、ＡＣＫ、ＮＡＣＫ、ＤＴＸの３つが可能であり、ＳＤＭセルに対するＨＡＲＱ−ＡＣＫ応答は、｛ＡＣＫ，ＡＣＫ｝、｛ＡＣＫ，ＮＡＣＫ｝、｛ＮＡＣＫ，ＡＣＫ｝、｛ＮＡＣＫ，ＮＡＣＫ｝、｛ＤＴＸ｝の５つが可能である。ＤＴＸは、ＰＤＣＣＨ検出失敗を意味するため、ＳＤＭの有無に係わらない。
【００８８】
（１）３ビットＡＣＫ／ＮＡＣＫチャネル選択
- ３個の非ＳＤＭセルが束ねられた場合：３＊３＊３＝２７
（２）４ビットＡＣＫ／ＮＡＣＫチャネル選択
- １個のＳＤＭセルと２個の非ＳＤＭセルとが束ねられた場合：５＊３＊３＝４５
- ４個の非ＳＤＭセルが束ねられた場合：３＊３＊３＊４＝８１
【００８９】
その結果、３つ以上のセルが束ねられた場合に対して別途ＡＣＫ／ＮＡＣＫチャネル選択用マップテーブルを構成することは、ＡＣＫ／ＮＡＣＫフィードバック過程を非常に複雑にする。
【００９０】
そこで、本発明は、セル構成（例えば、束ねられたセルの個数、セルのＳＤＭ設定の有無など）によらずに適用され得る、効率的なＡＣＫ／ＮＡＣＫチャネル選択方式／マップテーブルを提案する。具体的に、本発明は、３つ以上のセルが束ねられた場合に、ＡＣＫ／ＮＡＣＫチャネル選択ベースのＡＣＫ／ＮＡＣＫフィードバックをサポートするために、セル（非ＳＤＭセル、空間バンドルの適用されたＳＤＭセル）又はセルグループ（空間バンドル及び／又はセルバンドルの適用されたセルグループ）当たり一つのＨＡＲＱ−ＡＣＫを割り当てるＡＣＫ／ＮＡＣＫチャネルマップ方法を提案する。本発明において、ＡＣＫ／ＮＡＣＫチャネル選択のためのマップテーブルは、セル構成によらずにＨＡＲＱ−ＡＣＫ個数（すなわち、ＨＡＲＱ−ＡＣＫビット数）によって一つずつ定義される。すなわち、３ビット／４ビットＡＣＫ／ＮＡＣＫチャネル選択のためのマップテーブルがそれぞれ一つずつ定義される。
【００９１】
図１３及び図１４に、本発明の一実施例に係るＡＣＫ／ＮＡＣＫチャネル選択用マップテーブルを示す。図１３及び図１４はそれぞれ、３ビット及び４ビット用のマップテーブルを示す。
【００９２】
図１３を参照すると、ＨＡＲＱ−ＡＣＫ(０)(１)(２)は、下記に対応する。
（１）｛ＳＤＭ ＰＣｅｌｌ ＣＷ０，ＳＤＭ ＰＣｅｌｌ ＣＷ１，非ＳＤＭ ＳＣｅｌｌ ＣＷ０｝
（２）｛ＳＤＭ ＳＣｅｌｌ ＣＷ０，ＳＤＭ ＳＣｅｌｌ ＣＷ１，非ＳＤＭ ＰＣｅｌｌ ＣＷ０｝
（３）｛非ＳＤＭ ＰＣｅｌｌ ＣＷ０，非ＳＤＭ ＳＣｅｌｌ＃１ ＣＷ０、非ＳＤＭ ＳＣｅｌｌ＃２ ＣＷ０｝
【００９３】
便宜上、（１）〜（３）において、ＳＤＭ ＰＣｅｌｌ／ＳＣｅｌｌは２個のＨＡＲＱ−ＡＣＫに対応するセルを表し、非ＳＤＭ ＰＣｅｌｌ／ＳＣｅｌｌは１個のＨＡＲＱ−ＡＣＫに対応するセル（グループ）を表すものとする。すなわち、ＳＤＭ ＰＣｅｌｌ／ＳＣｅｌｌは、空間バンドルの適用されていないＳＤＭセルを表す。非ＳＤＭ ＰＣｅｌｌ／ＳＣｅｌｌは、非ＳＤＭセル、空間バンドルの適用されたＳＤＭセル、セルバンドルの適用された非ＳＤＭ ＳＣｅｌｌグループ、空間バンドル／セルバンドルの適用されたＳＤＭ ＳＣｅｌｌグループを表す。
【００９４】
図示のように、本発明に係るＡＣＫ／ＮＡＣＫチャネル選択用マップテーブルは、ＮＡＣＫとＤＴＸとを適宜結合することによって一つのマップテーブルとして種々のセル構成に用いることが可能である。一方、従来の３ビットＡＣＫ／ＮＡＣＫチャネル選択用マップテーブルは、上記の（１）〜（２）に対してだけ適用可能である。また、本発明に係るＡＣＫ／ＮＡＣＫチャネル選択用マップテーブルは、｛ＮＡＣＫ，ＮＡＣＫ，ＤＴＸ｝、｛ＮＡＣＫ，ＤＴＸ，ＤＴＸ｝、｛ＤＴＸ，ＮＡＣＫ，ＤＴＸ｝、｛ＤＴＸ，ＤＴＸ，ＤＴＸ｝に対しては、ＮＡＣＫとＤＴＸとを結合解除したり、結合を部分的に適用したりすることによって、基地局にＮＡＣＫとＤＴＸとを区別して知らせることができる。ＮＡＣＫとＤＴＸとを区別することによって、基地局は、伝送ブロックの再送信時に冗長バージョン（Ｒｅｄｕｎｄａｎｃｙ  Ｖｅｒｓｉｏｎ、ＲＶ）を調整することができる。
【００９５】
表７は、本発明に係る図１３のマップテーブルを別の形態に整理したものである。
【００９６】
（表７）
【表１０】
0005932809.tif 000012
【００９７】
表７において、ｎ（ｌ）ＰＵＣＣＨ，ｉ（ｉ＝０，１，２）は、図１３のＰＵＣＣＨリソース０，１，２に対応するＰＵＣＣＨリソースインデクスを表す。ｂ（０）ｂ（１）は、図１３の複素変調値に対応するビット値を表す（表２のＱＰＳＫ変調を参照）。ｎ（ｌ）ＰＵＣＣＨ，ｉ（ｉ＝０，１，２）は、サービス提供セル構成状況によって異なる。例えば、非ＳＤＭ ＰＣｅｌｌ＋ＳＤＭ ＳＣｅｌｌの場合に、ｎ（ｌ）ＰＵＣＣＨ，２は、ＰＣｅｌｌのＰＤＳＣＨに対応するＰＤＣＣＨを構成する最初のＣＣＥインデクスと結合可能である（数式１参照）。この場合、ｎ（ｌ）ＰＵＣＣＨ，ｉ（ｉ＝０，１）は、ＳＣｅｌｌのＰＤＳＣＨに対応するＰＤＣＣＨを構成する最初のＣＣＥインデクス（及び２番目のＣＣＥインデクス）と結合してもよいし、上位層によって明示的に与えてもよい。また、非ＳＤＭ ＰＣｅｌｌ＋非ＳＤＭ ＳＣｅｌｌ＋非ＳＤＭ ＳＣｅｌｌの場合に、ｎ（ｌ）ＰＵＣＣＨ，０は、ＰＣｅｌｌのＰＤＳＣＨに対応するＰＤＣＣＨを構成する最初のＣＣＥインデクスと結合可能である。この場合、ｎ（ｌ）ＰＵＣＣＨ，ｉ（ｉ＝１，２）は、ＨＡＲＱ−ＡＣＫ(１)(２)に対応するＳＣｅｌｌのＰＤＳＣＨに対応するＰＤＣＣＨを構成する最初のＣＣＥインデクス（及び２番目のＣＣＥインデクス）と結合してもよいし、上位層によって明示的に与えてもよい。また、ＳＤＭ ＰＣｅｌｌ＋非ＳＤＭ ＳＣｅｌｌの場合に、ｎ（ｌ）ＰＵＣＣＨ，０及びｎ（ｌ）ＰＵＣＣＨ，１はそれぞれ、ＰＣｅｌｌのＰＤＳＣＨに対応するＰＤＣＣＨを構成する最初のＣＣＥインデクス及び２番目のＣＣＥインデクスと結合可能である。この場合、ｎ（ｌ）ＰＵＣＣＨ，２は、ＳＣｅｌｌのＰＤＳＣＨに対応するＰＤＣＣＨを構成する最初のＣＣＥインデクスと結合してもよいし、上位層によって明示的に与えてもよい。
【００９８】
表８には、表７において同一のＰＵＣＣＨリソース／ビット値に該当する状態を示す。
【００９９】
（表８）
【表１１】
0005932809.tif 000013
【０１００】
表８の状態に対応するＰＵＣＣＨリソース／ビット値は同一なため、これらを束ねることが可能である。ただし、表８の状態を一つに束ねると、ＨＡＲＱ−ＡＣＫ(０)(１)(２)がいずれもＤＴＸである場合も含まれるため、２個のＡＣＫ／ＮＡＣＫ状態を一つに束ねることが好ましい。すなわち、｛ＮＡＣＫ，ＮＡＣＫ，ＤＴＸ｝、｛ＮＡＣＫ，ＮＡＣＫ，ＤＴＸ｝、｛ＮＡＣＫ，ＮＡＣＫ，ＤＴＸ｝を｛ＮＡＣＫ／ＤＴＸ，ＮＡＣＫ，ＤＴＸ｝、｛ＮＡＣＫ，ＮＡＣＫ／ＤＴＸ，ＤＴＸ｝に束ねることができる。
【０１０１】
表９に、表７において表８の状態を束ねた場合を示す。
【０１０２】
（表９）
【表１２】
0005932809.tif 000014
【０１０３】
端末は、基地局からＰＤＳＣＨを受信した場合に、サービス提供セルのＳＤＭ設定に応じてＨＡＲＱ−ＡＣＫ(０)(１)(２)を生成する。端末は、表９に基づいてＨＡＲＱ−ＡＣＫ(０)(１)(２)に対応するＰＵＣＣＨリソース（例えば、ｎ（ｌ）ＰＵＣＣＨ，ｉ）を選択し、選択されたＰＵＣＣＨリソースを用いて、対応するビット値（又は変調値）を送信する。ＰＵＣＣＨリソース０〜２はそれぞれ、ｎ（ｌ）ＰＵＣＣＨ，０〜ｎ（ｌ）ＰＵＣＣＨ，２に対応する。
【０１０４】
図１４を参照すると、ＨＡＲＱ−ＡＣＫ(０)(１)(２)(３)は下記に対応する。
【０１０５】
（１）｛ＳＤＭ ＰＣｅｌｌ ＣＷ０，ＳＤＭ ＰＣｅｌｌ ＣＷ１，ＳＤＭ ＳＣｅｌｌ ＣＷ０，ＳＤＭ ＳＣｅｌｌ ＣＷ１｝
（２）｛ＳＤＭ ＰＣｅｌｌ ＣＷ０，ＳＤＭ ＰＣｅｌｌ ＣＷ１，非ＳＤＭ ＳＣｅｌｌ ＣＷ０，非ＳＤＭ ＳＣｅｌｌ ＣＷ０｝
（３）｛非ＳＤＭ ＰＣｅｌｌ ＣＷ０，ＳＤＭ ＳＣｅｌｌ＃１ ＣＷ０，ＳＤＭ ＳＣｅｌｌ＃１ ＣＷ１，非ＳＤＭ ＳＣｅｌｌ＃２ ＣＷ０｝
（４）｛非ＳＤＭ ＰＣｅｌｌ ＣＷ０，非ＳＤＭ ＳＣｅｌｌ＃１ ＣＷ０，ＳＤＭ ＳＣｅｌｌ＃２ ＣＷ０，ＳＤＭ ＳＣｅｌｌ＃２ ＣＷ１｝
（５）｛非ＳＤＭ ＰＣｅｌｌ ＣＷ０，非ＳＤＭ ＳＣｅｌｌ＃１ ＣＷ０，非ＳＤＭ ＳＣｅｌｌ＃２ ＣＷ０，非ＳＤＭ ＳＣｅｌｌ＃３ＣＷ０｝
【０１０６】
便宜上、（１）〜（５）で、ＳＤＭ ＰＣｅｌｌ／ＳＣｅｌｌは２個のＨＡＲＱ−ＡＣＫに対応するセルを表し、非ＳＤＭ ＰＣｅｌｌ／ＳＣｅｌｌは１個のＨＡＲＱ−ＡＣＫに対応するセル（グループ）を表すものとする。すなわち、ＳＤＭ ＰＣｅｌｌ／ＳＣｅｌｌは、空間バンドルの適用されていないＳＤＭセルを表す。非ＳＤＭ ＰＣｅｌｌ／ＳＣｅｌｌは、非ＳＤＭセル、空間バンドルの適用されたＳＤＭセル、セルバンドルの適用された非ＳＤＭ ＳＣｅｌｌグループ、空間バンドル／セルバンドルの適用されたＳＤＭ ＳＣｅｌｌグループを表す。
【０１０７】
図示のように、本発明に係るＡＣＫ／ＮＡＣＫチャネル選択用マップテーブルは、ＮＡＣＫとＤＴＸとを適宜結合することによって一つのマップテーブルとして種々のセル構成に用いることが可能である。一方、従来の４ビットＡＣＫ／ＮＡＣＫチャネル選択用マップテーブルは、（１）に対してだけ適用可能である。また、本発明に係るＡＣＫ／ＮＡＣＫチャネル選択用マップテーブルは、｛ＮＡＣＫ，ＮＡＣＫ，ＮＡＣＫ／ＤＴＸ，ＮＡＣＫ／ＤＴＸ｝、｛ＮＡＣＫ，ＤＴＸ，ＮＡＣＫ／ＤＴＸ，ＮＡＣＫ／ＤＴＸ｝、｛ＤＴＸ，ＮＡＣＫ，ＮＡＣＫ／ＤＴＸ，ＮＡＣＫ／ＤＴＸ｝、｛ＤＴＸ，ＤＴＸ，ＮＡＣＫ／ＤＴＸ，ＮＡＣＫ／ＤＴＸ｝に対しては、ＮＡＣＫとＤＴＸとを結合解除したり、結合を部分的に適用したりすることによって、基地局にＮＡＣＫとＤＴＸとを区別して知らせることができる。ＮＡＣＫとＤＴＸとを区別することによって、基地局は、伝送ブロックの再送信時に冗長バージョン（Ｒｅｄｕｎｄａｎｃｙ  Ｖｅｒｓｉｏｎ、ＲＶ）を調整することができる。
【０１０８】
表１０は、本発明に係る図１４のマップテーブルを別の形態に整理したものである。
【０１０９】
（表１０）
【表１３】
0005932809.tif 000015
【０１１０】
表１０において、ｎ（ｌ）ＰＵＣＣＨ，ｉ（ｉ＝０，１，２，３）は、図１４のＰＵＣＣＨリソース０，１，２，３に対応するＰＵＣＣＨリソースインデクスを表す。ｂ（０）ｂ（１）は、図１４の複素変調値に対応するビット値を表す（表２のＱＰＳＫ変調を参照）。ｎ（ｌ）ＰＵＣＣＨ，ｉ（ｉ＝０，１，２，３）は、サービス提供セル構成状況によって異なる。例えば、ＰＣｅｌｌが単一の伝送ブロック送信をサポートする送信モードに設定された場合に、ｎ（ｌ）ＰＵＣＣＨ，０は、ＰＣｅｌｌのＰＤＳＣＨに対応するＰＤＣＣＨを構成する最初のＣＣＥインデクスと結合可能である（数式１参照）。この場合、ｎ（ｌ）ＰＵＣＣＨ，ｉ（ｉ＝１，２，３）は、ＨＡＲＱ−ＡＣＫ(１)(２)(３)に対応するＳＣｅｌｌのＰＤＳＣＨに対応するＰＤＣＣＨを構成する最初のＣＣＥインデクス（及び２番目のＣＣＥインデクス）と結合してもよいし、上位層によって明示的に与えてもよい。また、ＰＣｅｌｌが最大２つの伝送ブロック送信をサポートする送信モードに設定された場合、ｎ（ｌ）ＰＵＣＣＨ，０及びｎ（ｌ）ＰＵＣＣＨ，１はそれぞれ、ＰＣｅｌｌのＰＤＳＣＨに対応するＰＤＣＣＨを構成する最初のＣＣＥインデクス及び２番目のＣＣＥインデクスと結合可能である。この場合、ｎ（ｌ）ＰＵＣＣＨ，２及びｎ（ｌ）ＰＵＣＣＨ，３は、ＨＡＲＱ−ＡＣＫ(２)(３)に対応するＳＣｅｌｌのＰＤＳＣＨに対応するＰＤＣＣＨを構成する最初のＣＣＥインデクスと結合してもよいし、上位層によって明示的に与えてもよい。
【０１１１】
表１１に、表１０において同一のＰＵＣＣＨリソース／ビット値に該当する状態を示す。
【０１１２】
（表１１）
【表１４】
0005932809.tif 000016
【０１１３】
表１１の状態に対応するＰＵＣＣＨリソース／ビット値は同一なため、これらを束ねることが可能である。ただし、表１１の状態を一つに束ねる場合に、ＨＡＲＱ−ＡＣＫ(０)(１)(２)がいずれもＤＴＸである場合も含まれるため、２個のＡＣＫ／ＮＡＣＫ状態を一つに束ねることが好ましい。すなわち、｛ＮＡＣＫ，ＮＡＣＫ，ＤＴＸ｝、｛ＮＡＣＫ，ＮＡＣＫ，ＤＴＸ｝、｛ＮＡＣＫ，ＮＡＣＫ，ＤＴＸ｝を｛ＮＡＣＫ／ＤＴＸ，ＮＡＣＫ，ＤＴＸ｝、｛ＮＡＣＫ，ＮＡＣＫ／ＤＴＸ，ＤＴＸ｝に束ねることができる。
【０１１４】
表１２には、表１０において表１１の状態を束ねた場合を示す。
【０１１５】
（表１２）
【表１５】
0005932809.tif 000017
【０１１６】
端末は、基地局からＰＤＳＣＨを受信した場合に、サービス提供セルのＳＤＭ設定に応じてＨＡＲＱ−ＡＣＫ(０)(１)(２)(３)を生成する。端末は、表１２に基づいてＨＡＲＱ−ＡＣＫ(０)(１)(２)(３)に対応するＰＵＣＣＨリソース（例えば、ｎ（ｌ）ＰＵＣＣＨ，ｉ）を選択し、選択されたＰＵＣＣＨリソースを用いて、対応するビット値（又は変調値）を送信する。ＰＵＣＣＨリソース０〜３はそれぞれ、ｎ（ｌ）ＰＵＣＣＨ，０〜ｎ（ｌ）ＰＵＣＣＨ，３に対応する。
【０１１７】
図１５は、本発明に一実施例に適用され得る基地局及び端末を例示する。無線通信システムにリレーが含まれる場合に、通信は、バックホールリンクでは基地局とリレーとの間で行われ、アクセスリンクではリレーと端末との間で行われる。そのため、図示の基地局又は端末は状況によってリレーに置き替えてもよい。
【０１１８】
図１５を参照すると、無線通信システムは、無線通信システムは、基地局（ＢＳ）１１０及び端末（ＵＥ）１２０を含む。基地局１１０は、プロセッサ１１２、メモリ１１４及び無線周波（ＲＦ）ユニット１１６を含む。プロセッサ１１２は、本発明で提案した手順及び／又は方法を具現するように構成することができる。メモリ１１４は、プロセッサ１１２に接続され、プロセッサ１１２の動作と関連した様々な情報を記憶する。ＲＦユニット１１６は、プロセッサ１１２に接続され、無線信号を送信及び／又は受信する。端末１２０は、プロセッサ１２２、メモリ１２４及びＲＦユニット１２６を含む。プロセッサ１２２は、本発明で提案した手順及び／又は方法を具現するように構成することができる。メモリ１２４は、プロセッサ１２２に接続され、プロセッサ１２２の動作と関連した様々な情報を記憶する。ＲＦユニット１２６は、プロセッサ１２２に接続され、無線信号を送信及び／又は受信する。基地局１１０及び／又は端末１１０は、単一アンテナ又は複数アンテナを有することができる。
【０１１９】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもできるし、一部の構成要素及び／又は特徴を結合して本発明の実施例を構成することもできる。本発明の実施例で説明される動作の順序は変更可能である。ある実施例の一部構成や特徴は、別の実施例に含めることもできるし、別の実施例の対応する構成又は特徴に置き換えることもできる。特許請求の範囲において明示的な引用関係にない請求項を結合して実施例を構成したり、出願後の補正によって新しい請求項として含めたりすることができることは明らかである。
【０１２０】
本明細書において、本発明の実施例は主に端末と基地局とのデータ送受信関係を中心に説明した。本明細書において基地局によって行われるとした特定動作は、場合によっては、その上位ノードによって行ってもよい。すなわち、基地局を含む複数のネットワークノードからなるネットワークにおいて端末との通信のために行われる様々な動作は、基地局又は基地局以外の別のネットワークノードによって実行され得ることは明らかである。基地局は、固定局、ノードＢ、進化ノードＢ（ｅＮＢ）、アクセスポイントなどの用語に代替可能である。また、端末は、ユーザ装置（ＵＥ）、移動機（ＭＳ）、移動加入者局（ＭＳＳ）などの用語に代替可能である。
【０１２１】
本発明に係る実施例は様々な手段、例えば、ハードウェア、ファームウェア、ソフトウェア又はそれらの組合せなどによって具現することができる。ハードウェアによる具現の場合、本発明の一実施例は、一つ又はそれ以上の特定用途集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、コントローラ、マイクロコントローラ、マイクロプロセッサなどによって具現することができる。
【０１２２】
ファームウェア又はソフトウェアによる具現の場合、本発明の一実施例は、以上で説明された機能又は動作を行うモジュール、手順、関数などの形態とすることができる。ソフトウェアコードは、メモリユニットに記憶されて、プロセッサによって駆動される構成とすることができる。メモリユニットは、プロセッサの内部又は外部に設けられて、既に公知の様々な手段によってプロセッサとデータを交換することができる。
【０１２３】
本発明は、本発明の特徴から逸脱しない範囲で別の特定の形態に具体化し得るということは、当業者にとっては自明である。したがって、上記の詳細な説明は、いずれの面においても制限的に解釈されてはならず、例示的なものとして考慮されなければならない。本発明の範囲は、添付の請求項の合理的な解釈によって決定すべきであり、本発明の均等範囲内における変更はいずれも本発明の範囲に含まれる。
【産業上の利用可能性】
【０１２４】
本発明は、端末、リレー、基地局などのような無線通信装置に利用可能である。
【図１】
0005932809.tif 000022
【図２】
0005932809.tif 000023
【図３】
0005932809.tif 000024
【図４】
0005932809.tif 000025
【図５】
0005932809.tif 000026
【図６】
0005932809.tif 000027
【図７】
0005932809.tif 000028
【図８】
0005932809.tif 000029
【図９】
0005932809.tif 000030
【図１０】
0005932809.tif 000031
【図１１】
0005932809.tif 000032
【図１２】
0005932809.tif 000033
【図１３】
0005932809.tif 000034
【図１４】
0005932809.tif 000035
【図１５】
0005932809.tif 000036